(57)【要約】【課題】情報装置の各構成部位に取り付けられた内部ＲＦＩＤタグと情報装置の通信対象である外部ＲＦＩＤタグとの情報の混在を防止すること。【解決手段】本発明にかかる情報装置は、情報装置の各構成部位に取り付けられたＲＦＩＤタグが記憶する固有の識別情報を管理情報として取得する管理情報処理と、この管理情報をもとに、情報装置の各構成部位に取り付けられたＲＦＩＤタグに対して、応答要求電波に対する応答電波の送信禁止指示を行なう無効化処理とを行なった後、外部ＲＦＩＤタグに対するスキャン開始待ち状態となる。【選択図】      図２
2005293471.tif 000002
【特許請求の範囲】
【請求項１】
装置本体内に設けられた１以上の情報記録媒体を有し、少なくとも前記１以上の情報記録媒体の情報を非接触で読み書きする情報装置において、
前記１以上の情報記録媒体に関する管理情報を記憶する記憶手段と、
前記管理情報をもとに、前記１以上の情報記録媒体に対して、当該情報装置からの応答要求に対する応答を禁止させる無効化処理を行なう制御手段と、
を備えたことを特徴とする情報装置。
【請求項２】
前記制御手段は、前記応答要求に対する応答を禁止させた前記１以上の情報記録媒体に対して、当該情報装置からの応答要求に対する応答を許可させる有効化処理を行なうことを特徴とする請求項１に記載の情報装置。
【請求項３】
前記１以上の情報記録媒体は、前記管理情報を記憶し、
前記制御手段は、前記無効化処理の前に、前記１以上の情報記録媒体に記憶された前記管理情報を取得する管理情報取得処理を行なうことを特徴とする請求項１または２に記載の情報装置。
【請求項４】
前記１以上の情報記録媒体は、前記管理情報を記憶し、
前記制御手段は、予め前記１以上の情報記録媒体に記録された前記管理情報を取得することを特徴とする請求項１または２に記載の情報装置。
【請求項５】
前記管理情報は、各情報記録媒体と各情報記録媒体の無効化または有効化とを関連付けられていることを特徴とする請求項２〜４のいずれか１つに記載の情報装置。
【請求項６】
前記記憶手段は、不揮発性メモリであることを特徴とする請求項１〜５のいずれか１つに記載の情報装置。
【請求項７】
前記無効化処理および／または前記有効化処理を指示する指示情報を入力する入力手段を備え、
前記制御手段は、前記入力手段から入力された指示情報に基づいて、前記無効化処理および／または前記有効化処理を行なうことを特徴とする請求項２〜６のいずれか１つに記載の情報装置。
【請求項８】
前記制御手段は、当該情報装置の付属装置に設けられた前記情報記録媒体に対して前記無効化処理および／または前記有効化処理を行なうことを特徴とする請求項２〜７のいずれか１つに記載の情報装置。
【発明の詳細な説明】
【技術分野】
【０００１】
この発明は、装置本体内に設けられた１以上の情報記録媒体を有し、少なくとも前記１以上の情報記録媒体の情報を非接触で読み書きする情報装置に関する。
【背景技術】
【０００２】
従来から、無線通信システムの１つとして、ＲＦＩＤ（Radio Frequency Identification）システムが開発されている。ＲＦＩＤシステムでは、識別情報等を記憶する情報記録媒体であるＲＦＩＤタグに対して、専用のリーダライタが所定周波数の電波を用いてＲＦＩＤタグの識別情報を取得する読取処理および各種情報を書き込む書込み処理を行なっている（特許文献１参照）。
【０００３】
近年、製造工程管理や製品管理などに対するＲＦＩＤシステムの適用が進んでいる。たとえば、製品を組み立てる際に、製品の各構成部位に対してＲＦＩＤタグをそれぞれ取り付け、工程ごとに該ＲＦＩＤタグに対して読取処理および書込み処理を行なうことによって、製品の製造工程管理を行なうことができる。また、製品使用時には、各構成部位に取り付けられたＲＦＩＤタグに対して読取処理および書込み処理を行なうことによって、製品使用時における保守点検処理を管理することが可能となる。
【０００４】
【特許文献１】特開平１１−２３８１０３号公報
【発明の開示】
【発明が解決しようとする課題】
【０００５】
しかしながら、ＲＦＩＤタグを用いた製品管理が進むにしたがい、リーダライタ自体を構成する各構成部位に対してもＲＦＩＤタグが取り付けられている場合がある。このようなリーダライタが、読取処理対象となるＲＦＩＤタグに対して所定の情報を含む応答電波の送信指示を行なった場合、読取処理対象であるＲＦＩＤタグのみならず、リーダライタの各構成部位に取り付けられたＲＦＩＤタグからも応答電波が送信されることとなる。この場合、リーダライタが受信した情報の中には、読取処理対象であるＲＦＩＤタグからの情報と、リーダライタの各構成部位に取り付けられたＲＦＩＤタグであって読取処理対象ではないＲＦＩＤタグからの情報とが混在することとなる。この結果、リーダライタは、読取処理対象であるＲＦＩＤタグの情報を正確に判別することができない場合があり、読取処理を正確に行なうことができず管理対象に対する円滑な管理に支障をきたすという問題があった。
【０００６】
この発明は、上記した従来技術の欠点に鑑みてなされたものであり、通信対象以外の情報記録媒体からの応答を禁止し、通信対象である情報記録媒体からの応答を正確に受信でき、管理対象を円滑に管理することが可能となる情報装置を提供することを目的とする。
【課題を解決するための手段】
【０００７】
請求項１にかかる情報装置は、装置本体内に設けられた１以上の情報記録媒体を有し、少なくとも前記１以上の情報記録媒体の情報を非接触で読み書きする情報装置において、前記１以上の情報記録媒体に関する管理情報を記憶する記憶手段と、前記管理情報をもとに、前記１以上の情報記録媒体に対して、当該情報装置からの応答要求に対する応答を禁止させる無効化処理を行なう制御手段と、を備えたことを特徴とする。
【０００８】
請求項１にかかる情報装置によれば、記憶手段が記憶する管理情報をもとに、情報記録媒体に対して応答禁止を指示する無効化処理および応答許可を指示する有効化処理を行なう制御手段を備えることによって、情報記録媒体からの応答を選択的に受けることができる。
【０００９】
請求項２にかかる情報装置は、前記制御手段は、前記応答要求に対する応答を禁止させた前記１以上の情報記録媒体に対して、当該情報装置からの応答要求に対する応答を許可させる有効化処理を行なうことを特徴とする。
【００１０】
請求項３にかかる情報装置は、前記１以上の情報記録媒体は、前記管理情報を記憶し、前記制御手段は、前記無効化処理の前に、前記１以上の情報記録媒体に記憶された前記管理情報を取得する管理情報取得処理を行なうことを特徴とする。
【００１１】
請求項４にかかる情報装置は、前記１以上の情報記録媒体は、前記管理情報を記憶し、前記制御手段は、予め前記１以上の情報記録媒体に記録された前記管理情報を取得することを特徴とする。
【００１２】
請求項５にかかる情報装置は、前記管理情報は、各情報記録媒体と各情報記録媒体の無効化または有効化とを関連付けられていることを特徴とする。
【００１３】
請求項６にかかる情報装置は、前記記憶手段は、不揮発性メモリであることを特徴とする。
【００１４】
請求項７にかかる情報装置は、前記無効化処理および／または前記有効化処理を指示する指示情報を入力する入力手段を備え、前記制御手段は、前記入力手段から入力された指示情報に基づいて、前記無効化処理および／または前記有効化処理を行なうことを特徴とする。
【００１５】
請求項８にかかる情報装置は、前記制御手段は、当該情報装置の付属装置に設けられた前記情報記録媒体に対して前記無効化処理および／または前記有効化処理を行なうことを特徴とする。
【発明の効果】
【００１６】
本発明にかかる情報装置によれば、記憶手段が記憶する管理情報をもとに、情報記録媒体に対して応答禁止を指示する無効化処理を行なう制御手段を備えることによって、情報記録媒体からの応答を選択的に受けることができる。このため、本発明にかかる情報装置によれば、応答を発した情報記録媒体を正確に特定することができるため、情報記録媒体または情報記録媒体が取り付けられた管理対象に対して円滑な管理を図ることが可能となる。
【発明を実施するための最良の形態】
【００１７】
以下、図面を参照して、この発明の実施の形態である情報装置について、所定周波数の電波を介して、情報記録媒体であるＲＦＩＤタグの識別情報を取得する読取処理およびＲＦＩＤタグに対して情報を書き込む書込み処理を行なうＲＦＩＤ処理部を備えたリーダライタを例として説明する。なお、この実施の形態によりこの発明が限定されるものではない。また、図面の記載において、同一部分には同一の符号を付している。
【００１８】
（実施の形態１）
まず、実施の形態１にかかるリーダライタについて説明する。本実施の形態１にかかるリーダライタは、管理情報を記憶する記憶手段と、管理情報をもとに、所定のＲＦＩＤタグに対して応答禁止を指示する無効化処理を行なう制御手段とを備え、所定のＲＦＩＤタグに対して応答電波の送信を禁止する。図１は、本実施の形態１にかかるリーダライタの概略構成を示すブロック図である。
【００１９】
本実施の形態１におけるリーダライタ１は、図１に示したように、リーダライタ１の通信エリア内にある管理対象１１に取り付けられたＲＦＩＤタグ１２との間で無線通信を行なうとともに、リーダライタ１の各構成部位に取り付けられたＲＦＩＤタグ９との間においても無線通信を行なう。
【００２０】
ＲＦＩＤタグ９，１２は、リーダライタ１が送信した所定周波数の応答要求電波に応じて、蓄積した識別情報等の各種情報に対応する応答電波を送信する情報記録媒体である。また、ＲＦＩＤタグ９，１２が蓄積する各種情報は、所定周波数の電波を介して、読出しが可能であるとともに、書き込み、書き換えが可能である。
【００２１】
ＲＦＩＤタグ９，１２は、図示しない記憶部と制御部とアンテナとを備えている。ＲＦＩＤタグ９，１２の記憶部にはＲＦＩＤタグ９，１２ごとに異なる識別情報およびＲＦＩＤタグ９，１２が取り付けられている構成部位や管理対象１１に関する情報等が記憶されている。ＲＦＩＤタグ９，１２はリーダライタ１から送信された所定周波数の電波を媒介として動作電源を得て起動する。そして、ＲＦＩＤタグ９，１２では、リーダライタ１から応答要求電波を受信した場合には、この応答要求電波に応じて制御部が記憶部から識別情報等の情報を抽出して変調等を行い、応答電波としてアンテナから送信する。また、ＲＦＩＤタグ９，１２は、リーダライタ１から送信された電波の指示に応じて、制御部が記憶部に対して情報の書替えおよび記憶部の情報の書替えを行なう。
【００２２】
また、ＲＦＩＤタグ９，１２は、リーダライタ１から応答禁止を指示する電波を受信した場合には、応答許可を指示する電波を受信しない限り、起動する間においてリーダライタ１に対して応答電波を送信しない。また、ＲＦＩＤタグ９，１２は、所定周波数の電波による電力供給が停止すると一度受けた応答禁止指示を消去する。なお、本実施の形態１では、リーダライタ１の各構成部位に取り付けられたＲＦＩＤタグ９に対して、応答禁止を指示する場合について説明する。
【００２３】
リーダライタ１は、図１に示すように、入力部２と、アンテナ４を有するＲＦＩＤ処理部３と、記憶部５と、制御部６と、外部通信部７と、表示部８とを備える。また、入力部２と、ＲＦＩＤ処理部３と、アンテナ４と、記憶部５と、制御部６と、外部通信部７と、表示部８とは、所定の識別情報と各構成部位の情報とを記憶するＲＦＩＤタグ９が取り付けられている。入力部２、ＲＦＩＤ処理部３、記憶部５、外部通信部７および表示部８は、制御部６に電気的に接続され、アンテナ４は、ＲＦＩＤ処理部３に電気的に接続される。また、制御部６は、入力部２、ＲＦＩＤ処理部３、記憶部５、外部通信部７および表示部８を制御し、ＲＦＩＤ処理部３は、アンテナ４を制御する。
【００２４】
入力部２は、リーダライタ１の動作指示およびリーダライタ１が行なう処理の指示情報が入力され、各指示情報の入力を受け付けるとともに受け付けた指示情報の内容を制御部６に送出する。入力部２は、指示情報が入力される複数の入力キー等を有し、入力キー等から入力された各指示情報の内容を制御部６に送出する。
【００２５】
ＲＦＩＤ処理部３は、制御部６の制御のもと、所定周波数の電波を送信してＲＦＩＤタグ９，１２に電力供給を行なうとともに、所定周波数の電波を送信してＲＦＩＤタグ９，１２に対して読取処理および書込み処理を行なう。
【００２６】
読取処理においては、ＲＦＩＤ処理部３は、制御部６の制御のもと、ＲＦＩＤタグ９，１２の識別情報等を取得するために、ＲＦＩＤタグ９，１２に対して応答を求める指示に対応した電気信号を必要に応じて増幅、変調し、アンテナ４に送出する。そして、ＲＦＩＤ処理部３は、アンテナ４に対して、この電気信号に対応する応答要求電波を送信させるよう制御する。また、ＲＦＩＤ処理部３は、アンテナ４を介して、ＲＦＩＤタグ９，１２からの応答電波を受信する。そして、この応答電波に対応する電気信号を必要に応じて復調し、ＲＦＩＤタグに記録された識別情報等を取得する。そして、ＲＦＩＤ処理部３は、取得した識別情報等を制御部６に送出し、読取処理を達成する。
【００２７】
書込み処理においては、ＲＦＩＤ処理部３は、制御部６の制御のもと、ＲＦＩＤタグ９，１２に対して情報を書き込むために、ＲＦＩＤタグ９，１２に対して情報の書込みを求める指示に応じた電気信号を必要に応じて増幅、変調し、アンテナ４に送出する。そして、ＲＦＩＤ処理部３は、アンテナ４に対して、この電気信号に対応する電波を送信させて、ＲＦＩＤタグ９，１２に対して非接触による書込み処理を行なう。また、ＲＦＩＤ処理部３からＲＦＩＤタグ９，１２への指示として、識別情報等を含む応答電波の送信指示および所定の情報の書込み指示のほか、応答電波の送信を禁止する応答禁止指示と、応答禁止指示後に応答電波の送信を許可する応答許可指示とがある。
【００２８】
アンテナ４は、ＲＦＩＤ処理部３の制御のもと、通信エリア内に存在するＲＦＩＤタグ９，１２との間において、所定周波数の電波を送受信する。アンテナ４は、ＲＦＩＤ処理部３から入力された電気信号に対応する所定の電波をＲＦＩＤタグ９，１２に対して送信する。また、アンテナ４は、ＲＦＩＤタグ９，１２から送信された応答電波を受信し、受信した応答電波に対応する電気信号をＲＦＩＤ処理部３に送出する。
【００２９】
記憶部５は、処理プログラム等の各種データが予め記憶されたＲＯＭ（Read Only Memory）と、各処理の演算パラメータ、ＲＦＩＤタグ９，１２から読み取られた各種情報を記憶するＲＡＭ（Random Access Memory）とを用いて実現される。また、記録部５には、後述する管理情報取得処理において取得された各ＲＦＩＤタグ９，１２の管理情報が関係テーブルとして記録される。
【００３０】
制御部６は、記憶部５に記憶された処理プログラムを実行するＣＰＵ（Central Processing Unit）を備え、入力部２、ＲＦＩＤ処理部３、記憶部５、外部通信部７および表示部８の各処理または動作を制御する。この場合、制御部６は、これらの各構成部位に入出力される情報について所定の入出力制御を行い、かつ、この情報に対して所定の情報処理を行う。また、制御部６は、ＲＦＩＤ処理部３に対して、後述する管理情報取得処理および無効化処理または有効化処理における所定の処理を行なうよう制御する。また、制御部６は、記憶部５に管理情報取得処理において取得した管理情報を所定の関係テーブルとして記憶させ、また、記憶部５に記憶された関係テーブルにおける管理情報を更新する。なお、制御部６は、外部通信部７を介して、ＲＦＩＤ処理部３から入力された識別情報等を外部のホストコンピュータ（図示せず）に送出し、その後、外部通信部７を介して、ホストコンピュータによって情報処理がなされた情報を受信してもよい。
【００３１】
外部通信部７は、ＲＳ２３２Ｃ、ＵＳＢ、またはＩＥＥＥ１３９４等の外部通信用インターフェース、あるいはＩｒＤＡ規格に準拠した赤外線通信インターフェース等を備え、外部のホストコンピュータ等に対する情報通信を行う。
【００３２】
表示部８は、制御部６の制御のもと、ＲＦＩＤタグ９，１２とＲＦＩＤ処理部３との間で行なわれる情報通信に関する情報を表示出力する。表示部８の表示出力情報として、たとえば、読取処理および書込み処理の完了のほか、読取処理において読み取られた識別情報等、ＲＦＩＤタグ９，１２に書き込む書込情報等がある。また、表示部８は、リーダライタ１に処理動作に関するエラーが発生した場合に、制御部６の制御のもと、このエラーを報知する所定のエラー表示を表示出力してもよい。
【００３３】
つぎに、リーダライタ１の動作のうち、通信対象であるＲＦＩＤタグ１２以外のＲＦＩＤタグであって、各構成部位に取り付けられたＲＦＩＤタグ９に対して応答電波の送信を禁止する場合について説明する。図２は、リーダライタ１の動作内容を説明するためのフローチャートであり、リーダライタ１が動作開始し、ＲＦＩＤタグに対する読取処理前の待機状態となるまでの処理手順を示す。
【００３４】
図２に示すように、まず、リーダライタ１の電源が入力部２を介してオン状態とされる（ステップＳ１０２）。そして、ＲＦＩＤ処理部３は、所定周波数の電波を送信することによって、ＲＦＩＤタグ９への電力供給を行ない、ＲＦＩＤタグ９を起動させる。
【００３５】
つぎに、リーダライタ１は、応答禁止指示の対象となるＲＦＩＤタグから管理情報を取得する管理情報取得処理を行なう（ステップＳ１０４）。管理情報取得処理では、応答禁止の対象となるＲＦＩＤタグ９から、ＲＦＩＤタグ９ごとに固有の識別番号（以下、ＩＤ番号とする。）を管理情報として取得する。そして、管理情報取得処理では、ＲＦＩＤタグ９の総数を管理する管理番号とＩＤ番号とを対応させた関係テーブルの形成、または、形成された関係テーブルのＩＤ情報の更新を行なう。後述する無効化処理では、管理情報取得処理において形成または更新された関係テーブルを参照して、応答禁止指示の対象となるＲＦＩＤタグ９とそれ以外のＲＦＩＤタグとを判別している。また、管理情報取得処理の処理手順については、後述する。なお、管理情報取得処理は、リーダライタ１の通信エリア内にＲＦＩＤタグ９のみが存在する状態で行なうことを要する。管理情報取得処理において通信対象となるＲＦＩＤタグ１２から管理情報を取得した場合、後述する無効化処理において、通信対象となるＲＦＩＤタグ１２に対しても応答禁止を指示するおそれがあるためである。
【００３６】
そして、リーダライタ１は、応答禁止指示の対象となるＲＦＩＤタグ９に対して、応答禁止を指示する無効化処理を行なう（ステップＳ１０６）。無効化処理の処理手順については、後述する。なお、無効化処理は、管理情報取得処理において形成または更新された関係テーブルを参照して、応答禁止指示の対象となるＲＦＩＤタグ９と通信対象であるＲＦＩＤタグ１２とを判別するため、リーダライタ１の通信エリア内に通信対象となるＲＦＩＤタグ１２がある状態で行なってもよい。そして、リーダライタ１は、無効化処理（ステップＳ１０６）を終了した後、ＲＦＩＤタグに対する読取処理前の待機状態であるスキャン開始待ち状態となる（ステップＳ１０８）。
【００３７】
つぎに、管理情報取得処理について詳細に説明する。図３は、管理情報取得処理を達成するまでの処理手順を示すフローチャートである。まず、図３に示すように、制御部６は、記憶部５に記憶される管理番号ｎを初期化して、ｎ＝１とする（ステップＳ１１２）。
【００３８】
次いで、制御部６は、通信エリア内にＲＦＩＤタグ９があるか否かを判断する（ステップＳ１１４）。ここで、制御部６は、ＲＦＩＤ処理部３に対して所定周波数の応答要求電波を送信させ、この応答要求電波に対するＲＦＩＤタグ９からの応答電波をＲＦＩＤ処理部３が受信したか否かをもとに判断する。
【００３９】
制御部６は、ＲＦＩＤタグ９からの応答電波を受信することによって、ＲＦＩＤタグ９があると判断した場合には（ステップＳ１１４：Ｙｅｓ）、このＲＦＩＤタグ９のＩＤ番号を管理情報として取得する（ステップＳ１１６）。具体的には、制御部６が、ＲＦＩＤ処理部３に対してＩＤ番号の送信を指示する応答要求電波を送信させて、この応答要求電波に応じたＲＦＩＤタグ９からの応答電波をもとにＲＦＩＤタグ９のＩＤ番号を取得する。また、ステップＳ１１４においてＲＦＩＤタグの存在判断のために送信する応答要求電波に、ＩＤ番号の送信指示を含めることによって、ＲＦＩＤタグ９のＩＤ番号を取得してもよい。
【００４０】
次いで、制御部６は、取得した管理情報を記憶部５へ記憶させる（ステップＳ１１８）。ここで、制御部６は、図３に示すように、取得した管理情報であるＩＤ番号を管理番号ｎに対応させた関係テーブル５ａを形成して、この関係テーブル５ａを記憶部５に記憶させる。または、関係テーブル５ａが形成されていた場合には、制御部６は、関係テーブルのＩＤ番号を更新する。
【００４１】
次いで、制御部６は、ステップＳ１１４において存在を確認したＲＦＩＤタグ９の管理情報の記憶が終了したため、管理番号ｎをｎ＝ｎ＋１として（ステップＳ１２０）、ステップＳ１１４に進み、通信エリア内に新たなＲＦＩＤタグ９があるか否かを判断する。制御部６は、通信エリア内に新たなＲＦＩＤタグ９があると判断した場合には（ステップＳ１１４：Ｙｅｓ）、ステップＳ１１６に進み、このＲＦＩＤタグ９の管理情報を取得する。一方、制御部６は、通信エリア内に新たなＲＦＩＤタグ９がないと判断した場合には（ステップＳ１１４：Ｎｏ）、管理情報取得処理の対象となるＲＦＩＤタグ９の全てに対して管理情報の取得を完了したものとして、管理情報取得処理を終了する。
【００４２】
このように、管理情報取得処理では、各ＲＦＩＤタグ９のＩＤ番号を管理情報として取得し、管理情報を管理番号に対応させた関係テーブル５ａを記憶部５に記憶させている。以下、無効化処理では、この関係テーブル５ａをもとに、管理情報を取得したＲＦＩＤタグ９の全てが応答禁止指示の対象であるとして、ＲＦＩＤタグ９の全てに対して応答禁止を指示する。
【００４３】
つぎに、無効化処理について詳細に説明する。図４は、無効化処理を達成するまでの処理手順を説明するフローチャートである。図４に示すように、まず、制御部６は、応答禁止指示を完了したＲＦＩＤタグ９の総数ｍを初期化し、ｍ＝１とする（ステップＳ１３２）。ここで、ｍの値と、管理情報取得処理において取得されたＲＦＩＤタグ９の総数、この場合においては管理情報取得処理における管理番号の最大値ｎの値とを比較し、応答禁止指示の対象であるＲＦＩＤタグ９の全てに対して応答禁止を指示したか否かを判断する。言い換えると、ｍ≦ｎである場合には、応答禁止指示の対象であるＲＦＩＤタグ９全てに対して応答禁止指示を終了していないと考えられる。一方、ｍ≦ｎでない場合には、応答禁止指示の対象であるＲＦＩＤタグ９全てに対して、応答禁止指示を終了したものと考えられる。
【００４４】
次いで、制御部６は、通信エリア内にＲＦＩＤタグ９，１２があるか否か、かつ、ｍ≦ｎであるか否かを判断する（ステップＳ１３４）。制御部６は、ＲＦＩＤ処理部３に対して応答要求電波を送信させ、この応答要求電波に対するＲＦＩＤタグ９，１２からの応答電波をＲＦＩＤ処理部３が受信したか否かをもとに、ＲＦＩＤタグ９，１２があるか否かを判断する。
【００４５】
制御部６が、通信エリア内にＲＦＩＤタグ９，１２がある、かつ、ｍ≦ｎであると判断した場合には（ステップＳ１３４：Ｙｅｓ）、記憶部５に記憶された関係テーブル５ａを参照した後（ステップＳ１３６）、ＲＦＩＤタグ９，１２のＩＤ番号を取得する（ステップＳ１３８）。具体的には、管理情報取得処理と同様に、制御部６が、ＲＦＩＤ処理部３に対してＩＤ番号の送信を要求する応答要求電波を送信させて、この応答要求電波に応じたＲＦＩＤタグ９，１２からの応答電波をもとにＲＦＩＤタグ９，１２のＩＤ番号を取得するほか、ステップＳ１３４においてＲＦＩＤタグ９，１２の存在判断のために送信する応答要求電波に、ＩＤ番号の応答指示を含めてＲＦＩＤタグ９，１２のＩＤ番号を取得してもよい。
【００４６】
次いで、制御部６は、取得したＲＦＩＤタグ９，１２のＩＤ番号と、関係テーブル５ａにおけるＩＤ番号とを比較し、ＲＦＩＤタグ９，１２のＩＤ番号が、関係テーブル５ａにおけるＩＤ番号の中に含まれているか否かを判断する（ステップＳ１４０）。
【００４７】
制御部６が、取得したＲＦＩＤタグのＩＤ番号が、関係テーブル５ａにおけるＩＤ番号の中に含まれていないと判断した場合には（ステップＳ１４０：Ｎｏ）、このＲＦＩＤタグは、通信対象となるＲＦＩＤタグ１２であって、応答禁止指示の対象であるＲＦＩＤタグ９ではないと考えられる。このため、制御部６が、取得したＲＦＩＤタグのＩＤ番号が、関係テーブル５ａにおけるＩＤ番号の中に含まれていないと判断した場合には（ステップＳ１４０：Ｎｏ）、このＲＦＩＤタグに対する以降の処理を行なわず、ステップＳ１３４に進み、通信エリア内に新たなＲＦＩＤタグ９，１２があるか否かを判断する。
【００４８】
一方、制御部６は、このＲＦＩＤタグのＩＤ番号が、関係テーブル５ａにおけるＩＤ番号の中に含まれていると判断した場合には（ステップＳ１４０：Ｙｅｓ）、このＲＦＩＤタグは、応答禁止指示の対象となるＲＦＩＤタグ９であると考えられる。このため、制御部６は、このＲＦＩＤタグ９に対して、応答電波の送信禁止を指示する無効化命令を行なう（ステップＳ１４２）。具体的には、制御部６は、ＲＦＩＤ処理部３に対して、ＲＦＩＤタグ９に対して応答電波の送信禁止を指示する電波を送信させることによって、ＲＦＩＤタグ９に対する無効化命令を行なう。応答電波の送信禁止を指示する電波を受けたＲＦＩＤタグ９は、リーダライタ１から応答要求電波を受信した場合であっても応答電波を送信しない。
【００４９】
次いで、制御部６は、応答禁止指示の対象であるＲＦＩＤタグ９の一つに対して応答禁止指示を行なったため、ｍの値をｍ＝ｍ＋１として（ステップＳ１４４）、ステップＳ１３４に進み、通信エリア内にＲＦＩＤタグ９，１２があるか、かつ、ｍ≦ｎであるか否かを判断する（ステップＳ１３４）。通信エリア内にＲＦＩＤタグ９，１２がない場合、または、ｍ≦ｎでない場合には（ステップＳ１３４：Ｎｏ）、応答禁止指示の対象となるＲＦＩＤタグ９はないと考えられる。また、応答禁止指示の対象であるＲＦＩＤタグ９の全てに対して応答禁止指示が終了したものと考えられる。このため、制御部６は、通信エリア内にＲＦＩＤタグ９，１２がない場合、または、ｍ≦ｎでない場合には（ステップＳ１３４：Ｎｏ）、無効化処理を終了する。
【００５０】
このように、本実施の形態１では、管理情報取得処理で取得したＲＦＩＤタグ９のＩＤ番号をもとに、応答禁止指示の対象となるＲＦＩＤタグ９に対して無効化処理を行なっている。無効化処理を行なわれたＲＦＩＤタグ９は、リーダライタ１からの応答要求電波を受信した場合であっても、応答電波を送信しない。このため、リーダライタ１がＲＦＩＤタグに対して応答要求電波を送信した場合、通信対象である外部のＲＦＩＤタグ１２のみから応答電波が送信される。この結果、リーダライタ１は、読取処理および書込み処理の対象である外部のＲＦＩＤタグ１２の応答電波のみを受信でき、受信情報の中にＲＦＩＤタグ９からの送信情報と外部のＲＦＩＤタグ１２からの送信情報とが混在することはない。したがって、リーダライタ１は、通信対象であるＲＦＩＤタグ１２に対して、読取処理および書込み処理を正確に行なうことができ、ＲＦＩＤタグ１２が取り付けられた管理対象１１に対する正確な管理を行なうことが可能となる。
【００５１】
なお、本実施の形態１では、図４に示す無効化処理において、存在確認を行なったＲＦＩＤタグ９，１２の管理番号が関係テーブル５ａ中に含まれていることを確認してから、無効化命令を行なった場合について説明したが、これに限らず、関係テーブル５ａを参照して、関係テーブル５ａに記憶されたＩＤ番号をもとに応答禁止を指示する電波を送信すれば足りる。たとえば、関係テーブル５ａに記憶された全てのＩＤ番号または各々ＩＤ番号を指定して応答禁止の指示を行なう電波をＲＦＩＤタグに対して送信することによって、無効化命令を行なってもよい。この結果、ＩＤ番号の指定と応答禁止の指示とを含む電波を受信したＲＦＩＤタグであって、この電波において指定されたＩＤ番号を備えたＲＦＩＤタグは、応答要求電波を受信した場合であっても応答電波を送信しない。
【００５２】
（実施の形態２）
つぎに、実施の形態２について説明する。実施の形態１では、リーダライタ１の電源がオン状態とされた後、管理情報取得処理と無効化処理とを行なったが、実施の形態２では、予め管理情報取得処理を行ない、電源がオン状態とされた後は無効化処理を行なう。
【００５３】
実施の形態２にかかるリーダライタは、リーダライタ１と同様の構造を有する。また、実施の形態２では、記憶部５は、電源がオフ状態とされた後も書き込まれた情報を保持する不揮発性メモリを備える点で実施の形態１と異なる。実施の形態２では、制御部６は、図３に示す処理手順と同様の処理手順を行なうことによって予め管理情報取得処理を行い、管理情報取得処理において形成された関係テーブル５ａを不揮発性メモリに記憶させる。そして、制御部６は、電源がオン状態とされた後に、不揮発性メモリに記憶された関係テーブル５ａを参照して無効化処理を行なう。
【００５４】
つぎに、実施の形態２にかかるリーダライタの動作について説明する。図５は、実施の形態２にかかるリーダライタの動作を説明するためのフローチャートである。図５に示すように、実施の形態２では、電源がオン状態とされ（ステップＳ２０２）、ＲＦＩＤ処理部３は所定周波数の電波を送信して、ＲＦＩＤタグ９に対する電力供給を行い、ＲＦＩＤタグ９，１２を起動させる。次いで、予め行なった管理情報取得処理において形成された関係テーブル５ａを参照して、図４に示す処理手順と同様の処理手順を行なうことによって無効化処理を行ない（ステップＳ２０４）、その後、スキャン開始待ち状態となる（ステップＳ２０６）。
【００５５】
このように、実施の形態２では、予め管理情報取得処理を行い、関係テーブル５ａを不揮発性メモリに記憶させているため、電源がオン状態とされるごとに、管理情報取得処理を行なう必要がない。したがって、実施の形態２では、管理情報取得処理を省略することができ、処理手順の簡略化を図ることができる。また、実施の形態２では、実施の形態１と同様に、関係テーブル５ａを参照して無効化処理を行なうため、実施の形態１と同様の効果を奏することができる。
【００５６】
また、実施の形態２では、予め管理情報取得処理を行なっており、電源がオン状態とされるごとに管理情報取得処理を行なう必要がない。このため、通信エリア内にＲＦＩＤタグ１２がある状態で電源をオン状態とした場合であっても、ＲＦＩＤタグ１２に対して誤って無効化処理を行なうことがなく、ＲＦＩＤタグ１２との間で正確に無線通信を行なうことが可能となる。
【００５７】
なお、実施の形態２では、予め図３に示す管理情報取得処理を行なって関係テーブル５ａを記憶部５の不揮発性メモリに記憶させた場合について説明したが、これに限らず、図３以外の処理手順を行なうことによって関係テーブル５ａを取得してもよい。たとえば、製造時に情報装置１の構成部位に取り付けられたＲＦＩＤタグ９のＩＤ番号のリストを作成し、このリストをもとに関係テーブル５ａを予め作成してもよい。たとえば、情報装置１の本体近傍に常に存在しない構成部位または情報装置１の本体から離れた位置に配置された構成部位に取り付けられたＲＦＩＤタグ９のＩＤ番号を、図３に示す管理情報取得処理で取得しようとすると、これらのＲＦＩＤタグ９がアンテナ４の通信エリア外に存在する場合もあるため、これらのＲＦＩＤタグ９のＩＤ番号の全てを取得することができないおそれがあった。しかし、予め作成された各ＲＦＩＤタグ９のＩＤ番号のリストをもとに関係テーブル５ａを形成することによって、所望のＲＦＩＤタグ９に対しても確実に無効化処理を行なうことが可能となる。また、予め作成された各ＲＦＩＤタグ９のＩＤ番号のリストをもとに、図３に示す管理情報取得処理で形成された関係テーブル５ａに所望のＩＤ番号を追加することによって、所望のＲＦＩＤタグ９に対して無効化処理を行なうことが可能となる。
【００５８】
また、実施の形態２として、電源がオン状態とされることに連動してＲＦＩＤタグ９に対する無効化処理を行なう場合について説明したが、これに限らず、入力された処理モードに応じて選択的に無効化処理を行なってもよい。たとえば、外部のＲＦＩＤタグ１２との間で無線通信を行なう通常モードと自己診断モードとを処理モードとして有する場合について説明する。自己診断モードは、たとえば、リーダライタ１のメンテナンスのためにリーダライタ１の各構成部位に取り付けられたＲＦＩＤタグ９に対して読取処理および書込み処理を行なう処理モードである。入力部２には、処理モードとして通常モードまたは自己診断モードのいずれかが入力され、リーダライタ１は、入力部２から入力された指示情報をもとに、図６に示す処理手順にしたがって動作する。
【００５９】
まず、図６に示すように、電源がオン状態とされ（ステップＳ２１２）、通常モードまたは自己診断モードのいずれかが入力部２に入力される。次いで、制御部６は、入力された処理モードが通常モードまたは自己診断モードのいずれかであるかを判断する（ステップＳ２１４）。
【００６０】
制御部６は、処理モードが通常モードであると判断した場合には（ステップＳ２１４：通常モード）、図４に示す処理手順と同様の処理手順を行い、各構成部位に取り付けられたＲＦＩＤタグ９に対して応答禁止を指示する無効化処理を行う（ステップＳ２１６）。そして、外部のＲＦＩＤタグ１２へのスキャン開始待ち状態となる（ステップＳ２１８）。この場合、ＲＦＩＤタグ９から応答電波が送信されることがないため、通信対象である外部のＲＦＩＤタグ１２に対する読取処理、書込み処理が可能となる。
【００６１】
一方、制御部６は、処理モードが自己診断モードであると判断した場合には（ステップＳ２１４：自己診断モード）、各構成部位に取り付けられたＲＦＩＤタグ９に対して無効化処理を行なわず、内部のＲＦＩＤタグ９へのスキャン待ち状態となる（ステップＳ２２０）。この場合、各構成部位に取り付けられたＲＦＩＤタグ９は、応答禁止指示を受けてないため、応答要求電波を受信した場合には、この応答要求電波に応じて識別情報等を含む応答電波を送信することとなる。
【００６２】
図６に示すように、自己診断モードが選択された場合には無効化処理を省略している。このように、実施の形態２にかかるリーダライタは、入力された処理モードに応じて選択的に無効化処理を行なってもよい。なお、実施の形態２にかかるリーダライタは、電源をオン状態とした後、図３に示す管理情報取得処理を行ない、処理モードに応じて選択的に無効化処理を行なってもよい。また、通常モードが選択された場合には、処理モードが通常モードであると判断された後、図３に示す管理情報取得処理を行なったうえで、無効化処理を行なってもよい。
【００６３】
（実施の形態３）
つぎに、実施の形態３について説明する。実施の形態１，２では、電源をオン状態とした後に、管理情報取得処理、無効化処理を行なったが、実施の形態３では、ＲＦＩＤタグに対する走査が開始した後に、無効化処理を行なう。
【００６４】
図７は、実施の形態３にかかるリーダライタの動作を説明するフローチャートであり、ＲＦＩＤタグに対するスキャン開始後の動作手順について示す。なお、実施の形態３にかかるリーダライタは、実施の形態１にかかるリーダライタ１と同様の構造を有し、記憶部５は、不揮発性メモリを備えている点で実施の形態１と異なる。また、実施の形態３では、制御部６は、予め図３に示す処理手順と同様の処理手順を行なって管理情報取得処理を行なっており、記憶部５における不揮発性メモリは、管理情報取得処理によって形成された関係テーブル５ａを記憶している。
【００６５】
実施の形態３にかかるリーダライタは、ＲＦＩＤタグ９，１２に対するスキャンが開始された後、すなわち、アンテナ４からＲＦＩＤタグ９，１２に対して所定周波数の電波が送信された後、リーダライタの各構成部位に取り付けられているＲＦＩＤタグ９に対して、図４に示す処理手順と同様の処理手順を行って無効化処理を行なう（ステップＳ３０２）。その後、実施の形態３にかかるリーダライタは、外部のＲＦＩＤタグ１２に対して、所定周波数の電波を送信して、外部のＲＦＩＤタグ１２をスキャンする（ステップＳ３０４）。そして、実施の形態３にかかるリーダライタは、所定周波数の電波を送受信することによって、ＲＦＩＤタグ１２との間で情報授受を行ない（ステップＳ３０６）、ＲＦＩＤタグ１２に対して読取処理および書込み処理を行なう。
【００６６】
以上のように、実施の形態３では、スキャン開始後にＲＦＩＤタグ９に対して無効化処理を行なうことによって、ＲＦＩＤタグ９に対して応答禁止を指示する。したがって、実施の形態１，２と同様の効果を奏する。
【００６７】
また、実施の形態３では、ＲＦＩＤタグに対するスキャンが開始後に、無効化処理を行なっている。すなわち、実施の形態３では、電源がオン状態とされたことと連動して無効化処理を行なっていない。このため、実施の形態１，２における無効化処理を行なう時間、すなわち、処理開始可能状態となるまでの待ち時間が不要となり、迅速な処理開始が可能となる。
【００６８】
また、ＲＦＩＤタグ９，１２は、所定周波数の電波による電力供給が停止すると一度受けた応答禁止指示が消去する。このため、ＲＦＩＤタグ９に対しては、無効化処理を行なった後もＲＦＩＤタグ９の応答禁止を維持するために電力供給用の電波を継続して供給する必要がある。このため、電源がオン状態とされることと連動して無効化処理を行なう場合には、ＲＦＩＤ機能を動作させない場合であっても、電源がオン状態とされている間、ＲＦＩＤタグ９に対する応答禁止指示を維持するため電波の送信を継続しなければならず、多くの消費電力を必要とする。これに対し、実施の形態３では、ＲＦＩＤタグ１２に対する読取処理および書込み処理が選択され、ＲＦＩＤタグに対するスキャンが開始された後に無効化処理を行なう。このため、所定周波数の電波を送信する時間を短縮することができ、リーダライタ全体における消費電力を低減することが可能となる。この結果、本実施の形態３にかかるリーダライタが、電池を搭載した携帯用のリーダライタである場合には、電池の消費量を低減することができるため、電池の小型化が可能となり、リーダライタ全体の小型化を図ることができる。
【００６９】
（実施の形態４）
つぎに、実施の形態４について説明する。実施の形態１〜３では、リーダライタ１の各構成部位に取り付けられたＲＦＩＤタグ９に対して応答禁止を指示する無効化処理を行う場合について説明したが、実施の形態４では、無効化処理が行なわれたＲＦＩＤタグ９に対して、応答電波の送信を許可する有効化処理を行なう場合について説明する。
【００７０】
実施の形態４にかかるリーダライタは、リーダライタ１と同様の構造を備える。また、実施の形態４では、制御部６は、一度無効化処理が行なわれたＲＦＩＤタグ９に対して、応答電波の送信許可を指示する有効化処理を行なう。実施の形態４にかかるリーダライタでは、入力部２に有効化処理の開始指示が入力された場合、制御部６は有効化処理の開始指示をもとに各構成部位を制御する。
【００７１】
図８は、実施の形態４にかかるリーダライタの動作を説明するためのフローチャートである。また、実施の形態４では、管理情報取得処理および無効化処理を終了した後のリーダライタの動作について説明する。
【００７２】
図８に示すように、制御部６は、入力部２から入力された有効化処理の開始指示の有無をもとに、ＲＦＩＤタグ９に対して、無効化処理を維持するか、または、有効化処理を行なうかを判断する（ステップＳ４０２）。制御部６は、入力部２から有効化処理の開始指示が入力され、ＲＦＩＤタグ９に対して有効化処理を行なうと判断した場合には（ステップＳ４０２：有効）、無効化処理が行なわれたＲＦＩＤタグ９に対して有効化処理を行なう（ステップＳ４０４）。有効化処理については、後述する。次いで、有効化処理（ステップＳ４０４）終了後、または、制御部６が有効化処理の開始指示がなく無効化処理を維持すると判断した場合には（ステップＳ４０２：無効）、スキャン開始待ち状態となる（ステップＳ４０６）。
【００７３】
つぎに、有効化処理について詳細に説明する。図９は、有効化処理を達成するまでの処理手順を示すフローチャートである。リーダライタ１は、応答禁止を指示する無効化処理が行なわれたＲＦＩＤタグ９に対して、以下に説明する処理手順を行なうことによって応答電波の送信許可を与え、ＲＦＩＤタグ９に対して読取処理および書込み処理を行なう。有効化処理では、この関係テーブル５ａをもとに、管理情報を取得したＲＦＩＤタグ９全てが、無効化処理が行なわれた応答許可指示の対象であるとして、ＲＦＩＤタグ９の全てに対して応答許可を指示する。
【００７４】
まず、図９に示すように、まず、制御部６は、応答許可指示を完了したＲＦＩＤタグ９の総数ｋを初期化し、ｋ＝１とする（ステップＳ４１２）。このｋの値と、管理情報取得処理において取得されたＲＦＩＤタグ９の総数、この場合においては管理情報取得処理における管理番号の最大値ｎの値とを比較し、応答許可指示の対象であるＲＦＩＤタグ９の全てに対して応答許可を指示したか否かを判断する。言い換えると、ｋ≦ｎである場合には、応答禁止指示の対象であるＲＦＩＤタグ９全てに対して、応答許可指示を終了していないと考えられる。一方、ｋ≦ｎでない場合には、応答許可指示の対象であるＲＦＩＤタグ９全てに対して、応答許可指示を終了したものと考えられる。
【００７５】
次いで、制御部６は、ｋ≦ｎであるか否かを判断する（ステップＳ４１４）。制御部６が、ｋ≦ｎであると判断した場合には（ステップＳ４１４：Ｙｅｓ）、記憶部５に記憶された関係テーブル５ａを参照し（ステップＳ４１６）、管理番号ｋに対応するＩＤ番号を取得する（ステップＳ４１８）。制御部６は、管理番号ｋに対応するＩＤ番号を備えたＲＦＩＤタグ９に対して、応答電波の送信許可を指示する有効化命令を行なう（ステップＳ４２２）。具体的には、制御部６は、ＲＦＩＤ処理部３に対して、管理番号ｋに対応するＩＤ番号を指定して応答電波の送信許可を指示する電波を送信させることによって、この管理番号ｋに対応するＩＤ番号を備えたＲＦＩＤタグに対する有効化命令を行なう。応答電波の送信許可を指示する電波を受けたＲＦＩＤタグは、以降の処理においてリーダライタ１からの応答要求電波を受信した場合には、この応答要求電波に対する応答電波を送信する。
【００７６】
次いで、制御部６は、応答許可指示の対象の一つであるＲＦＩＤタグ９に対して応答許可指示を行なったため、ｋの値をｋ＝ｋ＋１として（ステップＳ４２４）、ステップＳ４１４に進み、ｋ≦ｎであるか否かを判断する（ステップＳ４１４）。制御部６は、ｋ≦ｎでないと判断した場合には（ステップＳ４１４：Ｎｏ）、応答許可指示の対象であるＲＦＩＤタグ９の全てに対して応答許可指示が終了したものと考えられる。このため、制御部６は、ｋ≦ｎでない場合には（ステップＳ４１４：Ｎｏ）、有効化処理を終了する。
【００７７】
実施の形態４では、応答禁止を指示する無効化処理が行なわれたＲＦＩＤタグ９に対して応答許可を指示する有効化処理を行なうことによって、一度応答禁止を指示したＲＦＩＤタグ９から応答電波を送信させることが可能となり、ＲＦＩＤタグ９に対して読取処理および書込み処理を行なうことができる。このように、応答禁止を指示したＲＦＩＤタグ９に対して応答許可を指示する有効化処理を行なうことによって、ＲＦＩＤタグ９の応答の可否を選択することが可能となり、ＲＦＩＤタグ９が取り付けられたリーダライタ１の各構成部位を円滑に管理することができる。
【００７８】
なお、実施の形態１〜４では、管理情報取得処理において形成された関係テーブル５ａに該当するＲＦＩＤタグ９の全てに対して無効化処理を行なう場合について説明したが、これに限らず、ＲＦＩＤタグ９の一部に対して無効化処理を行なってもよい。たとえば、図１０に示すように、管理情報取得処理において、ＩＤ番号と、このＩＤ番号を備えたＲＦＩＤタグ９に対して行なわれる処理とを対応させた関係テーブル５ｂを形成し、この関係テーブル５ｂを参照して所定のＲＦＩＤタグ９に対して無効化処理を行なってもよい。この場合、無効化処理では、関係テーブル５ｂを参照し、管理情報としてＩＤ番号を取得した後、制御部６は、取得したＲＦＩＤタグのＩＤ番号が関係テーブル５ｂの中に含まれているか否かを判断する。さらに、ＩＤ番号が関係テーブル５ｂの中に含まれていた場合には、制御部６は、このＩＤ番号に対応する処理が無効化処理または有効化処理のいずれかであるかを判断する。次いで、制御部６は、関係テーブル５ｂにおいて、このＩＤ番号に対応する処理が無効化処理である場合には、ＩＤ番号を取得したＲＦＩＤタグに対して無効化処理を行なう。また、制御部６は、有効化処理においても同様に、関係テーブル５ｂにおいて、このＩＤ番号に対応する処理が有効化処理である場合には、ＩＤ番号を取得したＲＦＩＤタグに対して有効化処理を行なう。
【００７９】
また、無効化処理では、関係テーブル５ｂに限らず、図１１に示すように、無効化処理または有効化処理のいずれの処理に進むかを示す経路情報としてフラグを立てた関係テーブル５ｃを用いてもよい。たとえば、フラグが「０」である場合には無効化処理を行い、フラグが「１」である場合には有効化処理を行なうとした場合について説明する。無効化処理では、制御部６は、取得したＲＦＩＤタグのＩＤ番号が関係テーブル５ｂの中に含まれているか否かを判断する。さらに、ＩＤ番号が関係テーブル５ｂの中に含まれていた場合には、制御部６は、このＩＤ番号に対応するフラグが「０」または「１」のいずれであるかを判断する。次いで、制御部６は、関係テーブル５ｂにおいて、このＩＤ番号に対応するフラグが「０」である場合には、ＩＤ番号を取得したＲＦＩＤタグに対して無効化処理を行なう。また、制御部６は、有効化処理においても同様に、関係テーブル５ｂにおいて、このＩＤ番号に対応するフラグが「１」である場合には、ＩＤ番号を取得したＲＦＩＤタグに対して有効化処理を行なう。このように、ＩＤ番号と無効化処理または有効化処理とを対応させた関係テーブル５ｂ，５ｃを参照して無効化処理を行なうことによって、所定のＲＦＩＤタグに対して、選択的に無効化処理および有効化処理を行なうことが可能となる。
【００８０】
また、実施の形態１〜４では、リーダライタ１の各構成部位に取り付けられたＲＦＩＤタグ９に対して管理情報取得処理および無効化処理を行った場合について説明したが、図１２に示すように、リーダライタ１の付属装置である表示装置３２、印刷装置３４、台３４に取り付けられたＲＦＩＤタグ９に対して管理情報取得処理、無効化処理を行なってもよい。リーダライタ１の付属装置に取り付けられたＲＦＩＤタグ９に対しても管理情報取得処理、無効化処理を行なうことによって、リーダライタ１の通信対象である外部のＲＦＩＤタグ１２から受けた情報と付属装置に取り付けられたＲＦＩＤタグ９との情報との混在を防止し、管理対象１１を正確に管理することができる。
【００８１】
また、実施の形態１〜４では、ＲＦＩＤ処理部３を備えたリーダライタ１について説明したが、これに限らず、図１３に示すように、光学情報記録媒体の情報を取得する光学情報読取部２２をさらに備えたリーダライタ２１に適用してもよい。リーダライタ２１においても、実施の形態１〜４と同様に、各構成部位に取り付けられたＲＦＩＤタグ９に対して、管理情報取得処理および無効化処理を行なうことによってリーダライタ１の通信対象である外部のＲＦＩＤタグ１２から受けた情報と付属装置に取り付けられたＲＦＩＤタグ９との情報との混在を防止し、管理対象１１を正確に管理することができる。
【００８２】
なお、光学情報読取部２２は、光学情報記録媒体に対して赤外光または可視光を送信する半導体レーザ素子または発光ダイオード等の光源と、この光学情報記録媒体からの反射光を受信するフォトセンサ等の受光素子とを備え、受信した光を処理することによって、光学情報記録媒体の情報を取得する。また、光学情報読取部２２は、ＣＣＤ（Charge Coupled Diode）、ＣＭＯＳ（Complementary Metal Oxide Semiconductor）等と、結像した入力光を電気信号に変換する光電変換部と、光電変換部からの入射光を結像させる光学系とを備え、光学情報記録媒体を撮像処理し、撮像処理によって得られた画像情報を解読して、光学情報記録媒体の情報を取得してもよい。また、光学情報読取部２２が光学情報記録媒体を撮像するように機能する場合、表示部８は、制御部６における制御のもと、光学情報読取部２２によって撮像された画像情報を表示出力する場合もある。
【００８３】
また、リーダライタ２１は、ストレージデバイス２３と音声入出力部２４とをさらに備える。ストレージデバイス２３は、制御部６の制御のもと、外部から挿入されたスマートメディア、メモリスティック、マルチメディアカード、またはＳＤメモリカード等の記憶媒体を駆動させて、記憶媒体に記憶される情報を読み取る。さらに、ストレージデバイス２３は、制御部６の制御のもと、制御部６から入力された情報を記憶媒体に対して記録するように機能してもよい。なお、記憶媒体は、ストレージデバイス２３に対して着脱可能である。また、音声入出力部２４は、マイクロフォン、スピーカー、音声信号処理部等を有しており、制御部６の制御のもと、外部から入力された音声情報を処理した後に制御部６に送出し、また、制御部６から入力された音声情報を処理し外部に出力する。なお、音声入出力部２４は、各処理の開始または完了を報知する所定の報知音を出力してもよい。また、音声入出力部２４は、リーダライタ２１に処理動作に関するエラーが発生した場合に、このエラーを報知する所定のエラー音を出力してもよく、また、表示部８によるエラー表示の出力と同期してエラー音を出力してもよい。
【００８４】
また、実施の形態１〜４では、ＲＦＩＤタグ９のＩＤ番号を管理情報として用いた場合について説明したが、これに限らず、ＲＦＩＤタグ９が記憶する一般情報を管理情報として用いてもよい。たとえば、リーダライタ１のメンテナンスを行なう際には、各構成部位に取り付けられたＲＦＩＤタグ９に記憶されたメンテナンス情報を取得し、このメンテナンス情報をもとに、無効化処理および有効化処理を行なってもよい。
【００８５】
また、実施の形態１〜４では、リーダライタ１から送信された所定周波数の電波を媒介として動作電力を得るＲＦＩＤタグ９，１２を例に説明したが、もちろん、バッテリー機能を内部に備えたＲＦＩＤタグに対して適用することも可能である。このような場合でも、リーダライタ１は、所定周波数の電波を介して、ＲＦＩＤタグに対して応答の禁止および応答の許可を指示することが可能である。
【図面の簡単な説明】
【００８６】
【図１】実施の形態１にかかるリーダライタの概略構成を示すブロック図である。
【図２】実施の形態１にかかるリーダライタの動作を説明するフローチャートである。
【図３】図２に示す管理情報取得処理を達成するまでの処理手順を示すフローチャートである。
【図４】図２に示す無効化処理を達成するまでの処理手順を示すフローチャートである。
【図５】実施の形態２にかかるリーダライタの動作を説明するフローチャートである。
【図６】実施の形態２にかかるリーダライタの動作を説明するフローチャートの他の例である。
【図７】実施の形態３にかかるリーダライタの動作を説明するフローチャートである。
【図８】実施の形態４にかかるリーダライタの動作を説明するフローチャートである。
【図９】図８に示す有効化処理を達成するまでの処理手順を説明するフローチャートである。
【図１０】図３に示す関係テーブルの他の例を示す図である。
【図１１】図３に示す関係テーブルの他の例を示す図である。
【図１２】実施の形態１〜４にかかるリーダライタと付属装置との概略構成を示すブロック図である。
【図１３】実施の形態１〜４にかかるリーダライタの概略構成の他の例を示す図である。
【符号の説明】
【００８７】
１、２１  リーダライタ
２  入力部
３  ＲＦＩＤ処理部
４  アンテナ
５  記憶部
５ａ、５ｂ、５ｃ  関係テーブル
６  制御部
７  外部通信部
８  表示部
９、１２  ＲＦＩＤタグ
１１  管理対象
２２  光学情報読取部
２３  ストレージデバイス
２４  音声入出力部
３２  表示装置
３３  印刷装置
３４  台
【図１】
2005293471.tif 000003
【図２】
2005293471.tif 000004
【図３】
2005293471.tif 000005
【図４】
2005293471.tif 000006
【図５】
2005293471.tif 000007
【図６】
2005293471.tif 000008
【図７】
2005293471.tif 000009
【図８】
2005293471.tif 000010
【図９】
2005293471.tif 000011
【図１０】
2005293471.tif 000012
【図１１】
2005293471.tif 000013
【図１２】
2005293471.tif 000014
【図１３】
2005293471.tif 000015